(57)【要約】【課題】  インクジェット記録装置において、用紙の後端が給紙ローラから抜けたときやカールの影響で生じる抵抗の変動を抑え高精度の用紙搬送を行う。【解決手段】  記録部に用紙を搬送する搬送ローラと搬送方向上流側に配置され前記搬送ローラに用紙を搬送する給紙ローラと、その二つのローラ間に配置され用紙をガイドするガイド部材を有し、ファンにより用紙に抵抗を与えガイド形状にならわせる抵抗手段を搬送ローラと給紙ローラ間に配置し、ファンの駆動を制御する制御手段を有するインクジェット記録装置。用紙の後端が給紙ローラを抜ける際は、制御手段によりファンを駆動させて用紙に抵抗を与え、用紙後端が給紙ローラを抜けた後もそのままファンを回し続け、用紙をガイド形状にならわせた状態で用紙の搬送を続ける。そして用紙後端が搬送ローラに近づいたとき、用紙の搬送を停止させてファンを停止し、用紙の抵抗を解除する。【選択図】  図１
2007160879.tif 000002
【特許請求の範囲】
【請求項１】
シートにインクで画像情報を記録する記録手段と、前記記録手段に搬送する第一の搬送手段と、前記第一の搬送手段に対して搬送方向上流側に配置された第二の搬送手段と、前記第一の搬送手段と前記第二の搬送手段の間に配置され前記第二の搬送手段から搬送されたシートを第一の搬送手段にガイドするガイド手段を有し、
前記第一の搬送手段と前記第二の搬送手段の間に配置され、前記シートが第一の手段と第二の手段の間を搬送する際に搬送方向に対して抵抗を与える抵抗手段と
前記ガイド手段の形状にならわせる手段を有し、前記抵抗手段が前記ガイド手段の形状にならわせる手段を兼ねることを特徴とする  インクジェット記録装置。
【請求項２】
前記抵抗手段において、前記抵抗の大きさを制御する制御手段を有することを特徴とする請求項１に記載のインクジェット記録装置。
【請求項３】
シートが前記第一の搬送手段と前記第二の搬送手段の両者によって搬送されている間は前記抵抗手段による抵抗を与えず、
前記シート後端が前記第二の搬送手段を抜ける際に前記抵抗手段により前記シートに抵抗を与えるよう前記制御手段によって制御することを特徴とする請求項２に記載のインクジェット記録装置。
【請求項４】
シート後端が前記第二の搬送手段を抜けて、前記シートが前記第一の搬送手段で搬送されている間、前記抵抗手段により前記シート手段に抵抗を与え続け、前記第一の搬送手段による搬送停止時に、前記抵抗手段による抵抗を停止するよう前記制御手段により制御することを特徴とする請求項３に記載のインクジェット記録装置。
【請求項５】
前記抵抗手段はファンによりシートを吸引することによる抵抗であることを特徴とする請求項４に記載のインクジェット記録装置。
【請求項６】
前記抵抗手段は、ファンからの排気をシートに対して排出することによる抵抗であることを特徴とする請求項４に記載のインクジェット記録装置。
【発明の詳細な説明】
【技術分野】
【０００１】
本発明は、積載されたシート束から一枚ずつシートを分離して送り出し、さらに給紙ローラにより下流側に搬送して画像を記録する画像記録装置に関する。
【背景技術】
【０００２】
従来、積載されたシート束の上面に給紙ローラが接触して一枚の用紙を送り出し、さらに搬送ローラで用紙を記録ヘッドの前面に搬送したのちにインクで画像を記録する装置がある。この装置では搬送ローラが用紙を搬送し始めたとき、用紙の後部がまだ給紙ローラの下に残っているので、給紙ローラと紙の摩擦力により抵抗が働く。そのため用紙の後端が給紙ローラから抜けるとき、用紙に作用していた抵抗が急激に減少し、用紙の送り量が変動し記録画像が乱れるという問題が発生する。これを防ぐために、給紙ローラと搬送ローラの間にフィルム状の抵抗部材を配置し、用紙に作用する抵抗の急激な変動を抑える構成としたものがある（特許文献１参照。）
【特許文献１】特開平１０−０９５５４９  （図６）
【発明の開示】
【発明が解決しようとする課題】
【０００３】
しかしながら前記従来技術には以下の問題点があった。
【０００４】
従来技術では、給紙ローラと搬送ローラの間にフィルム状の抵抗部材をもうけることにより、用紙後端が給紙ローラを抜ける際の急激な抵抗を抑えていた。しかしながら、用紙後端がフィルム部材を抜ける際には、用紙後端が給紙ローラを抜けるときよりは小さいが、従来の問題点と同様に抵抗の変動が生じるという問題が残っていた。
【０００５】
また、現在ポスターなどの印字にも使用できる大判のインクジェットプリンタ装置が製造されている。こういった装置では、これまで一般的に使用されてきた普通紙だけでなく、ポスター印刷なども行える厚手の用紙や和紙のような薄い紙など種々の紙に対して精度よく画像を記録できなければならない。これら大判インクジェットプリンタで使用する用紙の中にはカール状に変形しやすい種類の用紙や、高温高湿度環境下でカールしてしまう種類の用紙がある。これらの用紙に画像を記録する場合には用紙後端が給紙ローラを抜けた際に前記した変動の他に、カール形状による抵抗変動が生じるという問題がある。すなわち、用紙後端が給紙ローラを抜けた勢いで、用紙後端に生じていたカール部がガイドに強くあたることによって生じる抵抗の変動や、カール形状部がガイドに強く接触した状態のままで搬送されることにより抵抗が発生するという問題がある。
【０００６】
本特許は上記問題点に鑑みてなされたもので、用紙の後端が給紙ローラから抜けたときに生じる抵抗の急激な減少や、用紙に生じたカールの影響で生じる抵抗の変動を抑え、高精度の用紙搬送を行うことを可能にするものである。
【課題を解決するための手段】
【０００７】
上記課題を解決する本発明は、シートにインクで画像情報を記録する記録手段と、前記記録手段に搬送する第一の搬送手段と、前記第一の搬送手段に対して搬送方向上流側に配置された第二の搬送手段と、前記第一の搬送手段と前記第二の搬送手段の間に配置され前記第二の搬送手段から搬送されたシートを第一の搬送手段にガイドするガイド手段を有するインクジェット記録装置であって、前記第一の搬送手段と前記第二の搬送手段の間に配置され、前記シートが第一の手段と第二の手段の間を搬送される際に搬送方向に対して抵抗を与える抵抗手段と前記ガイド手段の形状にならわせる手段を有し、前記抵抗手段が前記ガイド手段の形状にならわせる手段を兼ねることを特徴とする。
【０００８】
また本発明は、前記抵抗の大きさを制御する制御手段を有することを特徴とする。
【０００９】
また本発明は、シートが前記第一の搬送手段と前記第二の搬送手段の両者によって搬送されている間は前記抵抗手段による抵抗を与えず、前記シート後端が前記第二の搬送手段を抜ける際は前記抵抗手段により前記シートに抵抗を与えるよう前記制御手段によって制御することを特徴とする。
【００１０】
また本発明は、シート後端が前記第二の搬送手段を抜け、前記第一の搬送手段で搬送されている間、前記抵抗手段により前記シート手段に抵抗を与え続け、前記第一の搬送手段による搬送停止時に、前記抵抗手段による抵抗を停止するよう前記制御手段により制御することを特徴とする。
【００１１】
また本発明は、前記抵抗手段がファンによりシートを吸引することにより抵抗を発生させること、あるいは、ファンからの排気をシートに対して排出することにより抵抗を発生させることを特徴とする。
【発明の効果】
【００１２】
以上説明したように、本発明のインクジェット記録装置では、シートを記録部に搬送する第一のローラと、その搬送方向上流側に配置された第二のローラ手段と、前記第一のローラと第二のローラ間に配置されたガイド手段を有し、前記ガイド手段に対して、シートを前記ガイド手段の形状にならわせる手段を有し、さらに前記手段がシートの搬送に抵抗を与える抵抗手段を兼ねている。前記第一のローラ部材からシート後端が抜ける際には前記抵抗手段によりシートに抵抗を与えることにより負荷の急激な変動を抑え、シート後端が前記第一のローラと第二のローラ間を搬送される際には前記抵抗手段により後端をガイド形状にそって搬送させることによりカールによる負荷の変動を抑え、さらに搬送を一時停止した後に前記抵抗手段を停止させてシート後端が前記抵抗手段から抜けるときに生じる負荷の変動を抑えることにより、安定したシートの搬送を行い高精度の画像の記録を行うことができる。
【発明を実施するための最良の形態】
【００１３】
（実施例１）
以下、前記手段を適用した本発明に係る記録装置の一実施例について図面を参照して説明する。図１は本発明を適用したインクジェット記録装置の略断面図、図２は記録部の前方斜視図、図３は記録部の後方斜視図である。
【００１４】
まず図１を参照して装置の概略構成について説明する。本記録装置は、主に積載されたシート束から一枚を分離して搬送する給紙部、搬送されたシート上にインクで画像を記録する記録部、装置全体を覆う筐体カバー部材、記録装置全体の動作を制御する制御部、および電源からなる。
【００１５】
図１において、１は積載されたシート束を収納するカセット、２は筐体の上部を覆う上カバー、３は後ろカバー、４はインクによって画像が記録された後に排出されて積載される排紙トレイである。
【００１６】
記録紙Ｐの流れについて説明する。図中に記録紙搬送経路を矢印Ｇで示す。
【００１７】
給紙部はシート材Ｐを積載し装置下部に配置されたカセット1とピックアップローラ１１、フィードローラ１２、リタードローラ１３からなり、積載されたシート材から一枚ずつピックアップして本体に給送する給紙機構を備えている。給紙機構により送られたシート材は、中間ローラ１４と中間コロ１５を通って、搬送ローラ１６とピンチコロ１７によって記録部に送り込まれる。記録手段としての記録ヘッド４２により記録が行われ、装置内をある程度の距離だけ搬送した後、排紙ローラ１８と拍車１９によって、排紙トレイ４に排出積載される。
【００１８】
給紙部について説明する。ピックアップローラ１１とフィードローラの駆動部には、本体内の駆動手段である搬送モータ（不図示）からの駆動力を伝達する伝達手段と、駆動力を解除する解除手段をそれぞれ持っている。搬送モータからの駆動力がピックアップローラ１１と同時に、フィードローラ１２にも駆動力が伝わり回転を始める。
【００１９】
フィードローラ１２は本体内の駆動手段により矢印Ａの方向に駆動される。リタードローラ１３はトルクリミッター（不図示）が取り付けられている。リタードローラ１３にはフィードローラに対して一定の加圧力を与える弾性手段と前記弾性手段を解除する解除手段が取り付けられており、シートの分離動作時はリタードローラ１３はフィードローラ１２に一定の加圧力で付勢された状態となっている。
【００２０】
リタードローラ１３に対して矢印Ｂ方向にある一定のトルクがかかると、トルクリミッタに滑りが生じリタードローラ１３は矢印Ｂ方向に回転する。リタードローラ１２はあらかじめ決められた一定のトルク以下であれば停止し、それ以上のトルクが搬送方向にかかると、そのトルクにより搬送方向に回転する構成となっている。そのあらかじめ決められたトルクを以降Ｔと呼ぶ。
【００２１】
フィードローラ１２とリタードローラ１３の間にシートが無いか、一枚のシート材がニップされた状態では、フィードローラ１２からリタードローラ１３に付与されるトルクと比較して、リタードローラのトルクＴは小さく設定されているので、リタードローラ１２はフィードローラ１２に従動して、搬送方向に回転する。
【００２２】
二枚以上のシートがニップに進入した際には、複数のシート間の摩擦によるトルクはリタードローラ１２のトルクＴよりも小さく設定されているため、リタードローラは回転せず（停止したまま）、リタードローラと接している側のシートは搬送されない。
【００２３】
以上の動作により、ピックアップローラ１１により給送されたシート材は最上部の一枚のみに分離されて、搬送される。
【００２４】
搬送されたシートはＵターンガイド３１とＵターン外ガイド３２にガイドされて搬送される。Ｕターンガイドにより装置奥の下方から上方に向かって搬送されたシートは装置の手前に向かって水平方向に方向が変えられる。シートの搬送方向が装置前方に変化する位置に中間ローラ１４が配置されている。中間ローラ１４は搬送モータと伝達手段によって連結されており、モータの駆動に従って回転する。中間ローラ１４の対向側には中間コロ１５が配置されている。中間コロ１５は弾性手段により中間ローラ１４に対して回動自在に加圧されており、中間ローラ１５に従動して回転する。中間ローラ１４とフィードローラ１２間にはジャムセンサ２１が配置されている。
【００２５】
中間ローラ１４の搬送方向下流側には記録紙の先端および後端を検知するエッジセンサ２２が配置されている。さらにその下流には用紙を記録部に搬送する搬送ローラ１６とその対向する位置にピンチローラ１７が配置されている。
【００２６】
搬送ローラ１６は駆動源である搬送モータ（不図示）と伝達手段によって連結されており前記モータの駆動に従って回転する。ピンチローラ１７は搬送ローラ１６の対向する位置にあり、弾性手段により搬送ローラ１６に対して回動自在に押圧されている。
【００２７】
ここで搬送ローラ１６の搬送スピードと中間ローラ１４の搬送スピードについて説明する。搬送ローラ１６の用紙搬送スピードは中間ローラ１４の用紙搬送スピードよりも若干大きくなるよう設定されている。仮に搬送ローラ１６の搬送スピードが中間ローラ１４の搬送スピードよりも遅い場合、シートが搬送されるに従ってシートにループが生じてくる。ループが大きくなると、その大きくなったループの先がＵターン外ガイド３２やＵターンガイド３１に接触して搬送ローラにかかる負荷が変動し、搬送量が不安定になる。前記問題を防ぐために搬送ローラ１６の搬送スピードは中間ローラ１４の搬送スピードよりも若干大きくなるように設定されている。そして搬送ローラ１６の搬送力は中間ローラ１４の搬送力よりも大きくなるように設定されており、シートは中間ローラ１４に対して若干滑りながら搬送ローラ１６により搬送される構成となっている。
【００２８】
次に記録部の構成について図２、３を参照して説明する。図２において、本実施例の記録ヘッド４２は、新品と交換し得るカートリッジ式の記録ヘッドを搭載している。
【００２９】
本実施例で用いる記録ヘッド４２は、インクジェット方式の記録ヘッドであり、インクを吐出するノズルを一列に配したノズル列を持ち、ノズル内に設けた電気熱変換素子の発熱によってインク中に生じた膜沸騰の圧力によってノズル先端の吐出口よりインクを吐出するものである。４１は記録ヘッド４２を精度良く保持しながら、記録紙Ｐの搬送方向（副走査方向、矢印Ｇ方向）とは直交する方向、すなわち主走査方向（矢印Ｈ方向）に往復移動させるためのキャリッジであり、ガイド棒４３と突き当て部（不図示）により摺動自在に保持されている。上記キャリッジ４１の往復移動は、図示しないキャリッジモータによって駆動されるプーリ４５及びタイミングベルト４６によって行われ、この際に記録ヘッド４２に与える記録信号及び電力は、フレキシブルケーブル４７によって装置本体の電気回路より供給されている。フレキシブルケーブル４７はキャリッジ４１上に配置された基板（不図示）に取り付けられ、記録ヘッド４２とキャリッジ４１は接点を圧接して接続されている。
【００３０】
また、上記キャリッジ４１が待機する位置（ホームポジション）に対応して設置され、必要に応じて上下し、上昇時は記録ヘッド４２に密着しノズル部を覆ってインクの蒸発やゴミ付着を防止するインク受け手段として機能するキャップが装置の右端に配置されている（不図示）。
【００３１】
また、キャリッジ４１にはエンコーダセンサ４８が取り付けられ、エンコーダセンサ４８に対応した位置にスケーラ４４が配置されている。前記スケーラとエンコーダセンサ４８により記録ヘッド４２の主走査方向の位置を検出する。
【００３２】
排紙ローラ１８は、搬送モータ（不図示）によって駆動される。１９は拍車であり、撥水性の高い材料で作られ、記録紙面と刃状の円周部のみでシートに接触する。この拍車１９は上記排紙ローラ６に対向する位置で、図示しない軸受部材により主走査方向に所定長離間して複数箇所に配設されており、記録直後の記録紙上の未定着画像に接触しても画像に影響を与えずに記録紙Ｐをガイドし搬送するよう構成されている。ヘッド４２と対向し、搬送ローラと排紙ローラ１８８の間に配置されたプラテン３３が、搬送ローラ１６から送られて印字されるシートをガイドしている。
【００３３】
次に吸引ダクト５１の構成について説明する。図４はダクト周りの斜視図である。本実施系の装置ではプラテン３３およびＵターンガイド３１の下方に吸引ダクト５１が配置されている。ダクトの下方には吸引ファン５３が配置されており本体内の制御部と接続されている。吸引ダクト５１の上面はプラテン５３とＵターンガイド３１の平面部に取り付けられている。プラテン３３の上面部にはプラテン吸引口３３ａが副走査方向に複数列並んで配置されており（本実施例の装置では副走査方向に２列の穴が配置されている）、プラテン吸引口３３ａに対応した位置にダクト吸引口５１ａが配置されている。またＵターンガイド３１にも、吸引ダクト４１と密着した面に吸引口３１ａが複数列並んで配置されており（本実施例の装置では３列の吸引口３１ａが配置されている）、Ｕターンガイド３３の吸引口３１ａに対応した位置にダクト吸引口５１ｂが配置されている。吸引ダクト５１の側方にはプラテンファン５３により吸引された空気をダクト外へ排出する排気口５１Ｃが配置されている。
【００３４】
吸引ダクト５１の中には、プラテン３３側とＵターンガイド３３側の間をしきる吸引切りかえ弁５２が配置されている。吸引切りかえ弁５２は側方にのびて吸引ダクト５１の側面に取り付けられた軸５２ａを有し、軸５２ａを回転中心として９０度回転することが可能である。軸５２ａの先はソレノイド（不図示）と接続されている。ソレノイドがＯＦＦの場合、吸引切りかえ弁５２は図中Ｃの位置にあり、吸引ダクト５１内をＵターンガイド側とプラテン側に隔てるしきりとして働いている。従って切りかえ弁５２がＣの位置にあるときに吸引ファン５３を回転させても吸引口３１ａからは吸引が行われない。
【００３５】
ソレノイドがＯＮになると、吸引切りかえ弁５２は前記軸５２ａを回転中心として９０度回転して図中Ｄの位置に移動し、Ｕターンガイド３１側とプラテン３３側のしきいが無くなる。このときに吸引ファン５３が回転すると、Ｕターンガイド３１の吸引口３１ａから吸引が行われる。ソレノイドに接続された電源がＯＦＦになれば、切りかえ弁５２は再び図中Ｃの位置に戻る。
【００３６】
従ってシートが搬送されているときに、プラテンファン５３が回転し、吸引切りかえ弁５２がＤの位置にある場合（ソレノイドの電源ＯＮの時）、シートはＵターンガイド３１の吸引口３１ａに吸引され、Ｕターンガイド３３の形状に沿った状態で搬送されることになる。またその際には吸引による搬送抵抗が生じることになる。
【００３７】
次に本実施例の装置の制御部を簡単に説明する。
【００３８】
制御部は記録装置全体を制御するための物であり、マイクロプロセッサなどのＣＰＵ、ＣＰＵの制御プログラムや各種データを記録しているＲＯＭ、およびＣＰＵのワークエリアとして使用され、各種データを一時的に保存するためのＲＡＭなどを有している。キャリッジモータ（不図示）、搬送モータ（不図示）、プラテンファン５３、ソレノイド（不図示）、それぞれのモータの駆動回路および各種センサは前記制御部に接続されている。前記モータ、ソレノイドはそれぞれ制御部からの命令に従って駆動する。
【００３９】
次にシートに画像を記録する際の搬送動作について図５を参照して説明する。
【００４０】
本記録装置に対して接続されたコンピュータから画像の記録命令がくると、ＣＰＵは本体内の搬送モータを駆動させる。ピックアップローラ１１が回転してカセット１に積載されたシートの最上部に接触する。（図５ａ）
この時ピックアップローラ１１の回転と同時に搬送モータから伝達手段によって連結されているフィードローラ１２、中間ローラ１４、搬送ローラ１６および排紙ローラ１８も回転を始める。フィードローラ１２とリタードローラ１３の作用により、ピックアップローラ１１により給紙されたシートのうち最上部の一枚を分離して搬送する。シート先端がジャムセンサ２１により検出され、中間ローラ１４と中間コロ１５にニップされた状態になると、フィードローラ１２の駆動が解除手段により解除され、またリタードローラ１３を加圧していた弾性手段も解除手段によって解除される。中間ローラ１４と中間コロ１５によってシートが搬送され、シート先端がエッジセンサ２２により検出されると、プラテンファン５３を駆動させて、プラテン吸引口３３ａから吸引を開始する（このとき吸引切りかえ弁５２はＣの位置にある）。（図５ｂ）
シート先端が搬送ローラ１６とピンチローラ１７にニップされてプラテン３３上に搬送される。このときシートは、プラテン吸引口３３ａ上で吸引されながら搬送されている。シートが画像印字位置まで搬送されると、搬送モータを停止し、シートの搬送が停止される。次に、キャリッジモータを駆動し、キャリッジ４１と記録ヘッド４２を主走査方向にインクを吐出しながら移動させて、画像の記録を行う（記録ヘッド４２が主走査方向に駆動して印字動作を行った際、１度の動作で印字する副走査方向の幅を以降１ラインと呼ぶ）。１ラインの記録が終了すると再度搬送モータを駆動させて、搬送ローラ１６を１ライン分回転させて、シートを搬送する。搬送ローラ１６を１ライン分回転させたら搬送モータの駆動を停止し、次に１ラインの記録動作を行う。上記、搬送→停止→記録、の一連の動作を１ラインごとに繰り返し行い、画像の記録を行っていく。上記一連の動作の中で、搬送動作を行っていき、ジャムセンサ２１によりシート後端が検出されると、次の停止動作の時にソレノイドをＯＮにし、吸引切りかえ弁５２が９０度回転してＤの位置に移動させる（図５ｃ）。
【００４１】
再び前記一連の動作を１ラインごとにくり替えし行い画像を記録していく。従って、シートの後端が中間ローラ１４および中間コロ１５のニップを抜ける際には、シート後端はＵターンガイド３１の吸引口３１ａで吸引されている状態で搬送されることとなる。
【００４２】
さらに搬送動作の途中でシート後端をエッジセンサ２２が検出すると、次の停止動作の時にソレノイドをＯＦＦにし、吸引切りかえ弁５２を９０度回転させてＣの位置に戻し、Ｕターンガイド３１の吸引口３１ａからの吸引を停止する。その後次の記録動作  を行い、さらに前記一連の動作を１ラインごとに繰り返し行い、画像の記録を行う。（図５ｄ）
上記説明したように、本実施例の装置では、シート後端が中間ローラ１４と中間コロ１５のニップを抜ける際にはプラテンファン５３を回転させてUターンガイド３１の吸引口３１ａからシートを吸引させて抵抗を与え、前記ニップを抜ける際の急激な変動を低減させている。またシート後端が中間ローラ１４と搬送ローラ１６間にあるときには前記プラテンファン５３の回転により、シート後端がＵターンガイド３１の形状に沿った状態で搬送される。さらにＵターンガイド３１の吸引口３１ａからの吸引動作の停止を、シート搬送を停止した状態の時に行うことにより、搬送速度の変動を抑える構成となっている。
【００４３】
（実施例２）
本特許の装置構成は、実施例１の装置構成に対して、吸引ダクトおよびＵターンガイドの構成のみ異なる。ただし実施例２のＵターンガイドは実施例１の構成に対して吸引口３１ａが存在しないことのみ異なっており、他は同じである。従って以降は吸引ダクトの構成を説明していく。
【００４４】
実施例２の装置の略断面図を図６と図７に示す。
【００４５】
吸引ダクト６１の吸引部はプラテン３３の下方に配置されており、吸引ダクト６１の下部にはプラテンファン５３が配置されている。吸引ダクト６１の上面はプラテン３３と密着して取り付けられており、プラテン吸引口３３ａに対応した位置にダクト吸引口６１ａが配置されている。プラテンファン５３の排気口の先は、中間コロ１５とピンチローラ１７の間、Ｕターンガイド３１の上方にまでのびており、Ｕターン外ガイド３２の一部を形成している。そして前記Ｕターンガイド３１に対向する面に小径の穴であるガイド排気口６１ｂが複数列配置されている。
【００４６】
吸引ダクト６１中には排気径路切りかえ弁６２があり、前記排気経路切り替え弁６２はその側面に回転軸６２aを有し、吸引ダクト６１の側面に前記回転軸６２ａが取り付けられており、前記回転軸６２ａを回転中心として９０度回転することが可能である。排気径路切りかえ弁６２はソレノイド（不図示）に接続されており、ソレノイドがＯＦＦの場合には、プラテンファン５３からの排気を排気口６１ｃからそのままダクト外に排出する位置に配置されている（図６）。このときプラテンファン５３から吸引される空気の流れを矢印Ｅで、プラテンファン５３からダクト外へ排出される空気の流れを矢印Ｆで示す。
【００４７】
ソレノイドがＯＮになると回転軸６２ａを回転中心として、排気径路切りかえ弁６２は９０度回転し、排気口６１ｃをふさぐ（図７）。その際のプラテンファン５３から排出された空気の径路を矢印Ｊで記す。プラテンファン５３から排出された空気はＵターンガイド３１の上方にあるガイド排気口６１からＵターンガイド３１に向かって排出される構成となっている。従って、シートがＵターンガイド３１上を搬送されている時にソレノイドがＯＮになると、排気径路切りかえ弁６２が移動してダクト排気口６２がふさがれて、プラテンファン５３からの排気がガイド排気口６１ｃからシートに吹き付けられ、その力によりシートはガイド形状に沿った状態で搬送されることになる。またその際には排出された空気による搬送抵抗が生じる。
【００４８】
以上説明したように、実施例１ではＵターンガイド上を搬送されるシートを吸引手段によってガイド形状に沿わせる機能と中間ローラから後端が抜けたときの抵抗の急激な減少を抑えるための抵抗制御機能を実現しており、実施例２では実施例１の吸引手段の代わりに排気手段を使用して、ファンからの排気によりシートをガイド形状にならわせて搬送する機能と抵抗制御機能を実現している。
【図面の簡単な説明】
【００４９】
【図１】実施例１に示す記録装置の略断面図
【図２】記録部の前方斜視図
【図３】記録部の後方斜視図
【図４】ダクト周りの斜視図
【図５】記録時の動作を表した図
【図６】実施例２に示す記録装置の略断面図
【図７】実施例２に示す記録装置の動作時の状態を表した略断面図
【符号の説明】
【００５０】
１  カセット
２  筐体上カバー
３  後ろカバー
４  排紙トレイ
１１  ピックアップローラ
１２  フィードローラ
１３  リタードローラ
１４  中間ローラ
１５  中間コロ
１６  搬送ローラ
１７  ピンチローラ
１８  排紙ローラ
１９  拍車
２１  ジャムセンサ
２２  エッジセンサ
３１  Ｕターンガイド
３２  Ｕターン外ガイド
３３  プラテン
４１  キャリッジ
４２  記録ヘッド
４３  ガイド棒
４５  プーリ
４６  タイミングベルト
４７  フレキシブルケーブル
４８  エンコーダセンサ
４９  スケーラ
５１  吸引ダクト
５２  吸引切りかえ弁
５３  排出口
５３  プラテンファン
６１  第二実施例の吸引ダクト
６２  排気径路切りかえ弁
Ｐ  シート
【図１】
2007160879.tif 000003
【図２】
2007160879.tif 000004
【図３】
2007160879.tif 000005
【図４】
2007160879.tif 000006
【図５】
2007160879.tif 000007
【図６】
2007160879.tif 000008
【図７】
2007160879.tif 000009